(57)【要約】      （修正有）【課題】仔牛などへ人工的に哺乳を行う際に用いる哺乳補助具を哺乳しやすい構造にすると共に前記補助具の材質が有害物質を含まないようにした。特に、乳首をはじめゴム部分には、使用中にゴム構成物質が拡散して給乳に混入されても仔牛に無害な物質を選択した。【解決手段】仔牛は、生育して乳牛又は肉牛としていずれも人間に直接関係するので、発ガン物質及び環境ホルモン物質の入路を仔牛の段階から遮断する必要性に対応することができた。さらに、哺乳補助具の構造上、仔牛が哺乳しやすく給乳の逆流をより確実に防止することができた。【選択図】図５
2005287485.tif 000002
【特許請求の範囲】
【請求項１】
哺乳動物等（以下仔牛とする）に対して人工的な哺乳補助具で給乳入り容器とこの容器の内側から仔牛の哺乳口に到る給乳の流路構造と仔牛の口にはさむ乳首とで成る前記哺乳補助具であって、この中で前記流炉構造が仔牛が哺乳しやすいように乳首の先端自由角を１３０°以上とし前記乳首を構成する成分が仔牛の生体に無害であることを特徴として作る、哺乳補助具及びその製造方法。
【請求項２】
前記流路構造において、給乳流量制御を比重１．２以下のゴム球で行うことを特徴とする、請求項１の流路構造
【請求項３】
前記乳首の材質がハロゲン化合物及び汚染性のポリマーを除くことこれらポリマーを架橋する為の加硫剤として無機硫黄及び４．４’−ジチオジモルホリン及び重金属の酸化物チウラムポリスルフィド及び２−（４’−モルホリノジチオ）ベンゾチアゾール及びキノンジオキシム及びアルキルフェノール樹脂を除くこと  加硫促進剤としてゴム着色性及び又は汚染性のものを除くことを特徴とする請求項１の乳首の材質。
【発明の詳細な説明】
【発明の詳細な説明】
【技術分野】
【０００１】仔牛の哺乳飼育用補助具
【背景技術】
【０００２】請求項１で説明したように、給乳入り容器▲２▼と外側の乳首▲１▼をつなぐ流路構造（▲３▼〜▲８▼）と構成される。この流路構造はプラスチック製のジョイント式で、前記給乳入り容器と乳首を取付ける役割りをする。給乳は、仔牛が乳首を吸込むと流路▲７▼を通って逆流防止球▲８▼をオリフィス▲９▼まで前身させながら乳首へ向かう。この状態では、改め設けられたオリフィス▲９▼の網状すき間を給乳が通過するので最小量の吸込がつづく。仔牛が吸込みを止め乳首をはなすと前記制御球▲９▼はすばやく流路▲７▼側へ戻す仕組である。前記市販の哺乳補助具に関しては、特許上の請求を行っていないが、他に類似品又は発明品が見当たらない。しかし、前記例の哺乳補助具には多くの課題を解決しないまま使われている。
前記流路▲７▼における逆流防止球▲８▼は、金属材で作られていてその比重の重さの為、仔牛が乳首の吸込みを止めた時にすばやく又確実に流路▲７▼の吸入出口に戻らないので若干の量が逆流してしまう。従って仔牛が乳首を離した時の乳首先端が水平から下方へ向かないようにして、前記逆流防止球が流路▲７▼の出口側から動かないように維持しなければならない。さらに、前記乳首は弾性を有するゴム又はゴムブレンド（以下、ゴムと称す）の素材を使用するが、前記ゴム製の乳首を構成する各種化学成分がゴム体内から外へ拡散又は溶出して給乳に混入され仔牛の体内に飲まれる恐れがある。前記化学成分の中に、特に動物に有害なものもあって、衛生上重大な問題がある。
【課題を解決する手段】
【０００３】乳首の首周り角度を大きくし哺乳が逆流しない方法を次のように開発した。図．２は、図．１のジョイント部分を拡大した上半分の断面図である。乳首▲１▼は、ジョイント部▲１２▼乳首装着部▲１０▼に密着してはめられるが、乳首装着部はジョイント部内でゴム製の乳首表面とジョイント部▲１２▼の内側に張付けられる凹凸のついたゴム▲１１▼によって、軽く押合うようにして組まれるので接触するゴムの弾性変形範囲内で乳首の向きを変えることが出来る。当初、即ち自然状態では装着される乳首の向きを水平▲１４▼にする従来の方法に比べ水平からθ角程度の下向き▲１５▼が望ましい。θは１０〜１５°位で、仔牛が哺乳しやすい角度である。この場合、ジョイント部全体を傾けることになりこのような条件で逆流防止球▲８▼が確実に機能するかどうか判断しなければならない。従来の金属球・ガラス球の場合、乳首が約１５°下向きになるようにジョイント部を傾斜させると、前記球にｍｇｔａｎθの重力がかかるので比重が２．０以上の金属球は使用できない。本発明では、比重が０．９８〜１．１０の範囲のゴム製又はプラスチック製のものを使った。これによって、前記逆流防止球は仔牛が哺乳を続けない限り常に前記給乳の浮力によって流路▲７▼のジョイント部側の出口の位置にとどまり逆流を防止することになる。次の課題は、仔牛に対する衛生安全の問題で、本発明は全てのゴム材、即ちジョイント部のパッキング材▲１３▼、ジョイント部の内かべゴム▲１２▼及び乳首に対してハロゲン化合物を使用しないこととした。一般にハロゲン化合物のゴムは給乳成分である各種脂肪酸及び蛋白質に対して物理的に溶解するとか化学反応を起こすことは認められない。しかし極微量のハロゲン物質が拡散して来ない保証はなく、衛生研究が進行中である。ゴムの素原料をポリマーと呼びこのポリマーが天然であろう合成ゴムであろうがその架橋過程で使われる架橋剤及びその架橋促進剤が衛生安全上重要な要因となる。架橋剤には、硫黄又は硫黄系の架橋系として硫黄単体と４．４’−ジチオジモルホリン、チオラムポリスルフィド、ベンゾチアゾールがあるがいずれも硫黄そのものが架橋に直接関与することには変わらず、これら硫黄はすべてが架橋構造に組まれ安定した分子構造として存在するのではなく、ゴム製品の表面に不安定硫黄が拡散して出てくる。金属酸化物による架橋剤は、酸化亜鉛、酸化マグネシウム及び酸化鉛があって、この中で酸化鉛を使用しない。さらにアルキルフェノール樹脂、アミン化合物などがある。本発明では、過酸化物による架橋を行った。これには多種の架橋剤があるが、例えばジクミルペルオキシド（ＤＣＰ）  １，１−ビス（ヒ−ブチルペルオキシン）−３，３，５−トリメチルシクロヘキガンで、過酸化物の熱分析によってゴムポリマーがラジカル化してラジカル同志の結合が起る性質を利用しているので、ゴムを製品化した後に表面に特定の低分子又は原子が出てくることは基本的にないので適定の架橋を行えば衛生的な方法である。次に架橋促進剤として多くのものが市販されているが、ゴムが架橋される工程で触媒として働き、最後は何らかの形でゴムの中に残留するものである。その為、前記給乳にふれる部分に何らかの原因で外部に拡散してくることを前提にしなければならない。そして給乳などに含まれた時、その含有比率と含有物質が仔牛にどのように影響するか知ることが重要である。ゴム工業では、前記拡散で外部に出てくるいくつかの物質移動の現象についてブルーム着色又は汚染性と言った表現がある。このような諸現象の原因は架橋成形が済んだゴムのマトリクスの中で、残留物質がどのような機構で物質移動するかの問題であるが本発明では、前記物質移動機構に議論することを省き、一律に残留物のゴムマトリクス内の拡散と記す。市販の前記架橋促進剤は、多種のものがあって程度の差はあってもゴム体の外へ残留物質が拡散する。チルデヒドアンモニア系としてヘキサメチレンテトラミン（Ｈと称す）は、拡散して出てくることが極めて少ないが、他の無害の促進剤との併用研究が必要である。本発明では、前記Ｈの使用を０．２〜０．３重量％として認める。次に促進剤のアルデヒドアミン系は、使用しない。グアニジン系は、拡散は少ないが苦味があるため使用しないこととした。その他、チマゾール、スルフェンアミド、チウラム、ジチオカルバミン、キカントゲン酸塩は、硫黄又はアルキル化物の残留物の存在が避けられず、特にアルキル化剤に関しては環境ホルモンの対象として多くの物質が問題とされて、今も研究がつづいている。本発明では、架橋促進剤としてステアリン酸と酸化亜鉛の使用を認める。酸化亜鉛は、適定量であれば拡散して出てくる確率が少なく上水基準では亜鉛として５ｐｐｍ以下となっている。さらに前記ステアリン酸と酸化亜鉛の助架橋を促進する目的で硫黄系のものを用いる場合はチアゾール系のユーメルカプトベソゾチアゾール又は、ジベンゾチアジルジスルフィド又は、２−メルカプトベゾチアゾールの亜鉛塩又は、２−（Ｎ，Ｎ’ジエチルチオカルバモイルチオ）ベンゾチアゾール又は、２−（４’−モルホリノジチオ）ベンゾチアゾールを少量用いて良い。前記のチアゾール類は、拡散流出が少なく、少量であれば前記酸化亜鉛と塩を形成してゴムのマトリスク内で安定して存在する物質である。添加剤としてのカーボンブラックは、衛生上の問題はないとしてこれを使って良い。着色用添加剤として有機系と無機系があり、それぞれの無害性については、まだ議論の余地がある。それ故本発明では、無機系のベンガラを用いるとした。その他の着色剤の使用については請求対象とはしない。
【実施例】
【０００４】以下、本発明の実施の形態について説明する。
（イ）．給乳入容器は従来の亜鉛メッキのバケッツではなく同型のステンレスにし、ジョイントはバケツに取付けた後１５°程度水平から下方へ向くように組立てた。その結果仔牛が哺乳時に乳首を引張らなくて済んだ。その構造を図．３と図．４で説明する。図．３は従来の構造と類似するもので、左側がバケッツ▲２▼を表す。流路▲７▼を提供するベケッツ側の構造物▲３▼は直角にバケッツの外側に貫通しその表面をジョイント部取付け具▲４▼で固定されるが、本発明では図．４のように前記取付具が、図．５のように片側が低い中空円柱形をなす。その他のバケッツの外側のジョイント部の各部品は従来の同じ取付となり、最後に乳首は水平から１５°下方を向く、前にも述べたようにジョイント部の内側にはゴム▲１２▼、▲１１▼が貼付られているので、乳首の向きが若干上下及び左右に方向を変えることが出来る。
（ロ）．さらに、各部分のゴム素材及びその架橋条件を表．１及び表．２に示した。
【発明の効果】
【０００５】哺乳補助具として従来の物と比べて仔牛が哺乳しやすくなり、特にバケッツから一旦外側へ流れた給乳が戻ることなく、仔牛に対して衛生管理が可能な製品を完成した。
【図面の簡単な説明】
【図１】  従来の哺乳補助具を示す断面図
【図２】  従来の哺乳補助具の中  ジョイント部の内部を詳細に示す上半分断面図  及び乳首をθ角だけ下方にしたときの中心軸を示す説明図
【図３】  本発明の哺乳補助具のジョイント部の内部構造におけるゴム貼り部分と逆流防止球の動きを説明する断面図
【図４】  本発明の哺乳補助具のジョイント部の内部構造を示す図３を水平からθ角だけ下方向きにした場合の構造及び逆流防止球の動きを示す断面図
【図５】  給乳入り容器バケツに取付ける為の取付け具を示す立体図
【符号の説明】
１．乳首
２．バケツ
３．給乳流露構造
４．ジョイント部取付具
５．ゴムパッキング
６．ジョイント部の乳首固定具
７．給乳流露
８．逆流防止球
９．オリフィス
１０．ジョイント部の乳道装着部
１１．ジョイント部のゴム内貼
１２．ジョイント部
１３．ゴムパッキング
１４．乳首向きの中心軸
１５．乳首が下向きになった時の中心軸
１６．給乳流露構造
１７．ジョイント部取付具
【図１】
2005287485.tif 000003
【図２】
2005287485.tif 000004
【図３】
2005287485.tif 000005
【図４】
2005287485.tif 000006
【図５】
2005287485.tif 000007